(57)【要約】【課題】錠等のコスト高となる手法によらず、簡易で安価な改良により照明灯の盗難を激減できる秀れた発想に基づく画期的な単管取付用照明灯を提供すること。【解決手段】点滅灯や警告灯などの照明灯１もしくはこの照明灯１を保持する保持部１Ａに、単管ａに抱持固定する単管抱持取付部２を設けて照明灯１を単管ａに取り付け固定する単管取付用照明灯であって、前記単管抱持取付部２をＯ環状もしくは遊離端間３の距離を前記単管ａの外径より狭くしたＣ環状に構成し、このＯ環状もしくはＣ環状の単管抱持取付部２に単管ａに締付固定するための締付部４を締め付け解除自在に設け、この単管抱持取付部２を前記締付部４をゆるめて締め付け解除した状態では単管ａの側方へは抜き取りできず、単管ａに沿ってスライドさせて単管端部ａ’からしか抜き取ることができないように構成した単管取付用照明灯。【選択図】　　　　図１
2004100224.tif 000002
【特許請求の範囲】
【請求項１】
点滅灯や警告灯などの照明灯もしくはこの照明灯を保持する保持部に、単管に抱持固定する単管抱持取付部を設けて照明灯を単管に取り付け固定する単管取付用照明灯であって、前記単管抱持取付部をＯ環状もしくは遊離端間の距離を前記単管の外径より狭くしたＣ環状に構成し、このＯ環状もしくはＣ環状の単管抱持取付部に単管に締付固定するための締付部を締め付け解除自在に設け、この単管抱持取付部を前記締付部をゆるめて締め付け解除した状態では単管の側方へは抜き取りできず、単管に沿ってスライドさせて単管端部からしか抜き取ることができないように構成したことを特徴とする単管取付用照明灯。
【請求項２】
前記単管抱持取付部に、前記単管に圧接する締付螺杆を螺子穴に螺着して前記締付部を設けたことを特徴とする請求項１記載の単管取付用照明灯。
【発明の詳細な説明】
【０００１】
【発明の属する技術分野】
本発明は、道路工事現場などで使用される点滅灯や警告灯などの照明灯を、バリケードや仮設足場などの単管に取り付け固定する単管取付用照明灯に関するものである。
【０００２】
【従来の技術及び発明が解決しようとする課題】
従来、工事現場などで使用する点滅灯や警告灯などの照明灯は、太陽電池や乾電池を備え、再帰反射材などのケースで覆う構成としており、その単価も決して安いものではなく、これを必要数揃えることは工事施工者にとって少なからぬ負担となっている。この照明灯をバリケードなどの単管部分に取り付け固定するための取付具は、Ｕ字状もしくはコ字状の単管抱持取付部で単管を側方から抱持し、締め付けネジなどの締付部で圧接して固定するだけという簡便な構造であり、締付部をゆるめて締め付けを解除するだけで容易に取り外すことができるため、工事施工者以外の者が取り外して持ち去ることも多い。この照明灯は、特に道路工事などにおいて作業者や通行車両の安全を確保するために必要なものであり、それが持ち去られるたびに補充しなければならなく、また前記のように安価ではないために安易に持ち去られることによる工事施工者の経済的負担は大きい。一方、このような盗難を防ぐため取付具に錠等の保安器具を備えた製品とすることも提案されているが、コスト高となり実用性に乏しい。
【０００３】
本発明は、錠等のコスト高となる手法によらず、簡易で安価な改良により照明灯の盗難を激減できる秀れた発想に基づく画期的な単管取付用照明灯を提供することを目的としている。
【０００４】
【課題を解決するための手段】
添付図面を参照して本発明の要旨を説明する。
【０００５】
点滅灯や警告灯などの照明灯１もしくはこの照明灯１を保持する保持部１Ａに、単管ａに抱持固定する単管抱持取付部２を設け、この単管抱持取付部２をＯ環状もしくは遊離端間３の距離を前記単管ａの外径より狭くしたＣ環状に構成し、このＯ環状もしくはＣ環状の単管抱持取付部２に単管ａに締付固定するための締付部４を締め付け解除自在に設け、この単管抱持取付部２を前記締付部４をゆるめて締め付け解除した状態では単管ａの側方へは抜き取りできず、単管ａに沿ってスライドさせて単管端部ａ’からしか抜き取ることができないように構成したことを特徴とする単管取付用照明灯に係るものである。
【０００６】
また、前記単管抱持取付部２に、前記単管ａに圧接する締付螺杆４Ｂを螺子穴４Ａに螺着して前記締付部４を設けたことを特徴とする請求項１記載の単管取付用照明灯に係わるものである。
【０００７】
【発明の実施の形態】
好適と考える本発明の実施の形態（発明をどのように実施するか）を、図面に基づいてその作用効果を示して簡単に説明する。
【０００８】
工事現場などに載置するバリケードなどの単管ａに単管抱持取付部２を抱持し、締付部４を締め付けて単管ａに単管抱持取付部２を固定することで照明灯１を単管ａに固定するが、この締付部４をゆるめて締め付けを解除しても単管ａ側方から単管抱持取付部２を取り外すことはできず、単管抱持取付部２を単管ａに沿ってスライドさせて、単管端部ａ’からしか抜き取れない。
【０００９】
即ち、従来は単に締付部４をゆるめるだけで単管ａの側方から容易に照明灯１を外せるため、照明灯１の着脱は容易であり、そのために工事施工者以外の者が容易に盗むことが可能であったが、本発明は、Ｏ環状もしくは遊離端間３の距離を単管ａの外径より狭くしたＣ環状の単管抱持取付部２に構成したことで、締付部４をゆるめても単管ａの側方から抜き取ることはできず、従って本発明を単管ａから着脱できるのは単管端部ａ’からとなる。従ってバリケードではクランプｃによって単管ａは抱持固定されるため、単管抱持取付部２を単管ａから抜き取ろうとするには工具等でバリケードを解体するか、単管抱持取付部２を破壊しなければならない。そのため容易に持ち去ることはかなり困難になるため、この困難さ故に盗難されることは激減する。そもそもこの照明灯１の盗難は、確信犯はほとんどいなく、学生等が遊び半分で家へ持ち帰るなどの幼稚犯が多いため、本手法による単管ａからの抜き取りの困難性によって、簡易な改良ながらその盗難防止効果は絶大となる。
【００１０】
【実施例】
図面は本発明の一実施例を図示したものであり、以下に説明する。
【００１１】
本実施例の単管ａはバリケードとして横設されているものである。単管ａはバリケードを構成する脚ｂの頂部に取り付けられたクランプｃによって両端を固定され、脚ｂ間に架設されている。
【００１２】
この単管ａに点滅灯や警告灯などの照明灯１を抱持固定するための単管抱持取付部２は、照明灯１の下端部に取り付けられている。
【００１３】
本実施例の単管抱持取付部２は単管ａを抱持する四角形の一側面に遊離端間３を設けたＣ環状に構成している。Ｃ状環は単管ａを抱持し、遊離端間３の間の距離を単管ａの外径より狭くなるよう構成している。従って必ずしも円形のＣ字状である必要はなく、本実施例のように四角形でも他の形でもよい。この遊離端間３の距離は狭ければ狭いほどより単管ａからは抜き取りにくくなり、本実施例においても遊離端間３の距離は十分に小さく、遊離端間３から単管ａが抜けることはない。さらに遊離端間３を設けないＯ状環で構成すれば確実に単管ａからの抜き取りは出来なくなるが、製作は環状の材料を加工するよりは金属板を本実施例のようなＣ環状に曲げ加工する方がよい場合が多い。また従来のコ字状取付具の端部に金属板などを追加溶接し、これを遊離端間３とすることでもう一方の遊離端間３との距離を狭める構成とすれば、コ字状取付具を利用して単管抱持取付部２とすることもできる。これにより単管抱持取付部２を、抱持した単管ａから側方に抜き取ることはかなり困難となる。
【００１４】
また単管抱持取付部２の底面には螺子穴４Ａとこれに螺着する締付螺杆４Ｂとで構成する締付部４を設け、締付螺杆４Ｂを螺子穴４Ａにねじ込み、単管ａに締付螺杆４Ｂを圧接することで単管抱持取付部２を単管ａ上の任意の位置に締付固定し、回動を防止している。
【００１５】
即ち、本発明は従来のように締付部４をゆるめるだけで単管ａ側方から取り外すことはできず、単管ａに沿ってスライドさせ単管端部ａ’からしか抜き取る事ができない構造を取っているから、これにより図２に示すようにバリケードなどに架設された単管ａに本発明を取り付けた場合、このような単管ａは使用状態では両端をクランプｃなどで固定されている場合がほとんどであるから、工事施工者以外の者が本発明を取り外すことはかなり困難となる。さらに、本発明は錠のような複雑な構成を持たないから、金属板の加工や既製品の改良、樹脂成型などにより安価に製作することができるうえ、鍵をかけるなどの煩雑な操作を必要とせずに絶大な盗難防止効果をもたらすこととなる。
【００１６】
なお、本実施例では照明灯１に直接単管抱持取付部２を設けているが、例えば照明灯１を差し込むことのできる筒状ケースのような保持部１Ａに単管抱持取付部２を設け、照明灯１に単管抱持取付部２を設けてもよい。この場合、保持部１Ａを照明灯１が安易に取り外せない構造にすることによって、既製の照明灯１をそのまま使用できる。
【００１７】
また図３に示す第二実施例では、単管抱持取付部２を照明灯１の側面に設けている。この場合、照明灯１を側面から抱持支承する支承部５を設け、この支承部５に単管抱持取付部２を取り付けることにより、照明灯１の側面に単管抱持取付部２を設けている。このような構成とすることで、図３のように下部に工事用コーンへの差し込み係止部１Ｂを設けた照明灯１を用いた場合に、この差し込み係止部１Ｂの機能を損なう事なく、照明灯１の側面に取り付けられた単管抱持取付部２によって照明灯１を単管ａに取り付けることができる。即ち、工事用コーンと架設単管ａの両方に取り付け可能な実用性の高い単管取付用照明灯とすることができる。
【００１８】
また図４に示す第三実施例では、単管抱持取付部２を遊離端間３のないＯ環状の構成にすることにより、単管抱持取付部２は単管端部ａ’以外からでは絶対に取り外すことはできないようにしている。さらに単管抱持取付部２の両側面に単管ａに接触する内向凸部６を設けることにより、締付部４を含めて単管ａを３点で保持する形とし、より強固に照明灯１を単管ａに固定している。
【００１９】
【発明の効果】
本発明は上述のように構成したから、従来締付部をゆるめるだけでバリケードなどの架設単管から取り外すことのできた照明灯が、単管抱持取付部を単管の側方からは取り外せず、単管の端部からのみ取り外せる形状としたことにより、端部をクランプなどで抱持固定して使用する架設単管においては、工具などを使用しなければ照明灯を取り外すことはできなくなる。
【００２０】
従って、従来照明灯の着脱が容易であるために生じていた学生らによる遊び半分の盗難を激減させることができ、なおかつ錠等の複雑な構造を用いないことからコスト高とならず、安価に製作することができる。
【００２１】
即ち、本発明は単管抱持取付部の形状を単管端部からのみ取り外すことができるよう構成した点により、上記のような秀れた盗難防止効果を得られるのであって、このような簡易な改良によって安価に盗難を防ぐことのできる画期的な単管取付用照明灯となる。
【図面の簡単な説明】
【図１】本実施例の単管への取付説明斜視図である。
【図２】本実施例の使用状態を示す斜視図である。
【図３】本実施例の別例（第二実施例）の単管への取付説明斜視図である。
【図４】本実施例の別例（第三実施例）の単管への取付説明斜視図である。
【符号の説明】
１　　照明灯
１Ａ　保持部
２　　単管抱持取付部
３　　遊離端
４　　締付部
４Ａ　螺子穴
４Ｂ　締付螺杆
ａ　　単管
ａ’　単管端部
【図１】
2004100224.tif 000003
【図２】
2004100224.tif 000004
【図３】
2004100224.tif 000005
【図４】
2004100224.tif 000006